(57)【要約】【課題】可撓性の光ディスクを使用する光ディスク駆動装置において、ディスク起動時及び停止時の、スタビライザーに対するディスク摺動を回避する。【解決手段】スタビライザー３０に対する光ディスク２０の離間距離（対面距離）を微調整するためのギャップ調整機構として、プランジャ６１からなるものを設ける。ディスクを起動するときには、あらかじめプランジャのロッド６１ａを上昇させることで、ディスク・スタビライザー間の離間距離を、記録／再生時に比べて充分に大きなＧ１とする。ディスク回転数が、ディスク面ぶれがほぼ最小となる回転数Ｒｍに達したら、ディスクをスタビライザーに接近させて、両者の離間距離を所望値Ｇ２とする。ついで、所望の回転数Ｒに変化させてから、光ディスクに対する記録／再生動作を行う。ディスクの停止操作は、上記と逆の手順で行う。【選択図】図５
2007287189.tif 000002
【特許請求の範囲】
【請求項１】
可撓性を有する光ディスクを用いるディスク駆動装置であって、光ディスクに対し接近対面するスタビライザーにより光ディスクの回転を安定化させるようにしたものにおいて、前記光ディスクの回転中に光ディスクとスタビライザーの離間距離を調整することができるギャップ調整機構を備えていることを特徴とする光ディスク駆動装置。
【請求項２】
前記スタビライザーは回転不可に配備され、前記ギャップ調整機構は、光ディスク回転用のスピンドル軸をスタビライザーに対し昇降させることで、光ディスクとスタビライザーの離間距離を調整することを特徴とする請求項１に記載の光ディスク駆動装置。
【請求項３】
請求項２に記載の光ディスク駆動装置により光ディスクを駆動する方法であって、
光ディスクの回転開始時から、光ディスクの面ぶれがほぼ最小となる回転数Ｒｍに増大するまでの間は、光ディスクとスタビライザーの離間距離を、光ディスクに面ぶれが生じてもディスク・スタビライザー間に摺動が生じない離間距離Ｇ１とし、
光ディスクの回転数がＲｍに増大したら、この状態でギャップ調整機構によって光ディスクとスタビライザーの離間距離を、スタビライザーによる光ディスクの面ぶれ抑制機能が得られる所望値Ｇ２まで狭め、この回転数Ｒｍにおいて光ディスクに対する記録／再生動作を行い、
光ディスクの駆動を停止する際には、あらかじめギャップ調整機構によって光ディスクとスタビライザーの離間距離を前記所望値Ｇ２から前記離間距離Ｇ１に増大させ、ついで回転数Ｒｍから減速して光ディスクの回転を停止することを特徴とする光ディスク駆動方法。
【請求項４】
請求項２に記載の光ディスク駆動装置により光ディスクを駆動する方法であって、
光ディスクの回転開始時から、光ディスクの面ぶれがほぼ最小となる回転数Ｒｍに増大するまでの間は、光ディスクとスタビライザーの離間距離を、光ディスクに面ぶれが生じてもディスク・スタビライザー間に摺動が生じない離間距離Ｇ１とし、
光ディスクの回転数がＲｍに増大したら、この状態でギャップ調整機構によって光ディスクとスタビライザーの離間距離を、スタビライザーによる光ディスクの面ぶれ抑制機能が得られる所望値Ｇ２まで狭め、ついで光ディスクの回転数を所望値Ｒに変化させた後、この回転数Ｒにおいて光ディスクに対する記録／再生動作を行い、
光ディスクの駆動を停止する際には、あらかじめ光ディスクの回転数を前記回転数Ｒから回転数Ｒｍに変化させ、この状態でギャップ調整機構によって光ディスクとスタビライザーの離間距離を前記所望値Ｇ２から前記離間距離Ｇ１に増大させ、ついで回転数Ｒｍから減速して光ディスクの回転を停止することを特徴とする光ディスク駆動方法。
【発明の詳細な説明】
【技術分野】
【０００１】
本発明は、光ディスクの駆動装置および駆動方法に関し、更に詳しくは、シート状で可撓性を有する光ディスクを、空気で面ぶれを抑えた状態で回転駆動することができる光ディスク駆動装置及び光ディスク駆動方法に関する。
【背景技術】
【０００２】
近年、テレビ放送のデジタル化が開始されるなど、情報のデジタル化に伴う光ディスク
（以下、ディスクと記載することがある）の大容量化、すなわち光ディスクに記録される情報の高密度化に対する要求が高まっている。この要求に対する主な方策としては、記録／再生のために用いられる光のスポット径を小さくすることが挙げられる。
【０００３】
光のスポット径を小さくするには、その波長を短くすること及び、対物レンズの開口数（ＮＡ）を大きくすることが有効である。例えば、光の波長については、従来、ＣＤ（Compact Disk）では近赤外光、例えば７８０ｎｍ近傍の波長の光が用いられ、ＤＶＤ（Digital Versatile Disk）では赤色光、例えば６５０ｎｍ近傍の波長の光が用いられているが、最近では、青紫光の半導体レーザが開発され、今後４００ｎｍ近傍のレーザ光が使用されるであろうと予想されている。また、対物レンズについては、従来、ＣＤ用の対物レンズのＮＡは０．５未満であり、ＤＶＤ用の対物レンズのＮＡは０．６程度であったが、今後はさらにＮＡが増大する傾向にあり、ＮＡ０．７以上とすることが要求されている。
【０００４】
しかしながら、対物レンズのＮＡを増大することや、光の波長を短くすることは、対物
レンズを含む光学系の焦点深度の狭小化を招く。このため、フォーカスサーボ精度を向上
させる必要が生じる。また、対物レンズのＮＡが増大すると、その対物レンズと光ディス
クの記録面との距離を小さく設定する必要があるため、光ディスクの面ぶれを小さくする
必要がある。その理由は、始動時のフォーカスサーボを開始する直前に対物レンズを含む
光ピックアップと光ディスクとが接触するなどの事態を回避する必要があるからである。
【０００５】
このような背景から、可撓性を有するシート（薄膜）に記録面が形成された光ディスク
（以下、可撓性ディスクあるいは、フレキシブルディスクということがある）の開発が進められており、このような光ディスクを安定化板上で回転させることにより、光ディスクの面ぶれを抑制する光ディスク駆動技術が提案されている（例えば、特許文献１〜特許文献３を参照）。
【０００６】
下記特許文献１に記載された発明の目的は、可撓性を有する光ディスクを用いても、ディスクの面ぶれが小さくて済み、良好に記録再生を行うことが可能な記録／再生装置を提供することにある。この記録／再生装置は、６５０ｎｍ以下の波長の光を出射する光源と、上記光源からの光を上記光ディスク上に集光する開口数ＮＡが０．７以上の集光手段と、上記光ディスクを回転駆動させる回転駆動手段と、上記回転駆動手段によって回転駆動される光ディスクに対向するように配され、上記光ディスクの回転駆動時の状態を安定化させる安定化板とを備えている。
【０００７】
この特許文献１に記載の構成（図略）では、可撓性を有する光ディスク（可撓性光ディスク）に対して記録再生を行う光ディスク装置に、可撓性光ディスクの回転状態を安定化させる安定化板を設けている。この光ディスク装置では、光ピックアップ内の光学系から出射した光ビームが可撓性光ディスクに集光照射されることにより記録が行われ、可撓性光ディスクからの反射光が光学系の光検出器により検出されることで再生が行われる。
【０００８】
そして、上記構成によれば、センターハブに保持された可撓性光ディスクが、スピンドルによって回転駆動されることにより、可撓性光ディスクと安定化板とによって挟まれる空間が減圧状態となる。このため、可撓性光ディスクは、安定化板に吸い寄せられ、安定化板と一定の間隔を保ちながら安定して回転することが可能となる。したがって、可撓性光ディスクの回転時の面ぶれが抑制されることにより、良好な記録再生が行われる。
なお、この特許文献１には、光ディスクを安定化板と一体回転させることにより、光ディスクと安定化板との擦れを防止するようにした構成も開示されている。
【０００９】
下記特許文献２の発明の目的は、可撓性を有するシート状の光ディスクを用いて記録／再生を行う際に、空気力によって光ディスクの面ぶれを確実に抑制し、高密度の記録を可能にすることにある。そして、その構成では、光ディスクの記録層の全面に安定化ガイド部材を対向設置させずに、光ディスクとの対向面が円弧状をなす円柱状の安定化ガイド部材を用い、光ディスクにおける安定化ガイド部材による空気圧の作用による面ぶれが安定する部位Ｐにおけるディスク回転方向上流側と下流側とに空気圧の作用を生じさせない領域（安定化ガイド部材がない空間部）を設けて、面ぶれを安定化させた上記部位Ｐの前後位置に光ディスクに「逃げ」となる部分を存在させ、面ぶれを安定化させた部位Ｐでの光ディスクにおける反発力を小さくすることにより、空気力による安定化力の効果を増大させるようにしている。
【００１０】
下記特許文献３の発明は、可撓性を有する光ディスクを用いた場合において、光ディスクの面ぶれを低減し、良好な記録再生を可能とするもので、その構成では、可撓性光ディスクに対して記録または再生を行う光ディスク装置において、可撓性光ディスクを回転駆動する回転駆動手段と、可撓性光ディスクと対向配置され、可撓性光ディスクとの対向面が平坦面となっているスライダを有し、このスライダに可撓性光ディスクに対して記録または再生のための光を集光する集光手段が設けられている光ピックアップと、可撓性光ディスクにおける光ピックアップ側とは反対側において可撓性光ディスクと対向配置され、可撓性光ディスクとの対向面が平坦面となっている安定化板とを備えている。
【００１１】
ところで、光ディスク駆動装置において可撓性ディスクは、これがスタビライザー（安定化板）に接近し、定常回転数で回っているときには空気安定化され、面ぶれが極めて小さくなり安定回転している。しかし、回転を開始するとき及び停止するときは、空気安定化が不十分な状態になり、可撓性のために大きな面ぶれを起こし、固定配備されたスタビライザーに対してディスクが摺動することがあった。
【００１２】
【特許文献１】特開平１０−３０８０５９号公報
【特許文献２】特開平２００３−１１５１０８号公報
【特許文献２】特開平２００３−６９０３号公報
【発明の開示】
【発明が解決しようとする課題】
【００１３】
本発明は、かかる事情の下になされたもので、その目的は、可撓性光ディスクと対面するように配置されたスタビライザーを有する光ディスク駆動装置において、可撓性光ディスクを起動及び停止するときの、スタビライザーに対するディスク摺動を回避することができる光ディスク駆動装置及び光ディスク駆動方法を簡単な構成で提供することにある。
【課題を解決するための手段】
【００１４】
上記目的達成のために、請求項１に係る発明は、可撓性を有する光ディスクを用いるディスク駆動装置であって、光ディスクに対し接近対面するスタビライザー（安定化板）により光ディスクの回転を安定化させる（回転時の光ディスクの面ぶれを空気力によって抑制する）ようにしたものにおいて、前記光ディスクの回転中に光ディスクとスタビライザーの離間距離（対面距離：対向面間の間隔）を調整することができるギャップ調整機構を備えていることを特徴とする光ディスク駆動装置である。
【００１５】
請求項２に係る発明は、前記スタビライザーが回転不可に配備され、前記ギャップ調整機構が光ディスク回転用のスピンドル軸をスタビライザーに対し昇降させることで、光ディスクとスタビライザーの離間距離を調整することを特徴とする請求項１に記載の光ディスク駆動装置である。
【００１６】
請求項２の発明では、ギャップ調整機構により光ディスクを昇降させることで、スタビライザーに対するディスクの離間距離を調整するようにしているが、これに替えて、スタビライザーのみを昇降させるように構成してもよい。また、上記回転不可のスタビライザーは、当該光ディスク駆動装置を収納するケーシング（シャシー）の一部により形成することもできる。なお、スタビライザーを光ディスクと一体的に回転駆動する構造は、本発明の対象外である。この一体回転では、光ディスク・スタビライザー間に摺動は生じないからである。
【００１７】
請求項３に係る発明は、請求項２に記載の光ディスク駆動装置により光ディスクを駆動する方法であって、光ディスクの回転開始時から、光ディスクの面ぶれがほぼ最小となる回転数Ｒｍに増大するまでの間は、光ディスクとスタビライザーの離間距離を、光ディスクに面ぶれが生じてもディスク・スタビライザー間に摺動が生じない離間距離Ｇ１とし、光ディスクの回転数がＲｍに増大したら、この状態でギャップ調整機構によって光ディスクとスタビライザーの離間距離を、スタビライザーによる光ディスクの面ぶれ抑制機能が得られる所望値Ｇ２まで狭め、この回転数Ｒｍにおいて光ディスクに対する記録／再生動作を行い、光ディスクの駆動を停止する際には、あらかじめギャップ調整機構によって光ディスクとスタビライザーの離間距離を前記所望値Ｇ２から前記離間距離Ｇ１に増大させ、ついで回転数Ｒｍから減速して光ディスクの回転を停止することを特徴とする光ディスク駆動方法である。
なお、上記した「面ぶれがほぼ最小となる回転数Ｒｍ」は、面ぶれが最小となる回転数Ｒｍｉｎおよび、その近傍の回転数を含んでいる。下記請求項４の発明においても同じである。
【００１８】
請求項４に係る発明は、請求項２に記載の光ディスク駆動装置により光ディスクを駆動する方法であって、光ディスクの回転開始時から、光ディスクの面ぶれがほぼ最小となる回転数Ｒｍに増大するまでの間は、光ディスクとスタビライザーの離間距離を、光ディスクに面ぶれが生じてもディスク・スタビライザー間に摺動が生じない離間距離Ｇ１とし、光ディスクの回転数がＲｍに増大したら、この状態でギャップ調整機構によって光ディスクとスタビライザーの離間距離を、スタビライザーによる光ディスクの面ぶれ抑制機能が得られる所望値Ｇ２まで狭め、ついで光ディスクの回転数を所望値Ｒに変化させた後、この回転数Ｒにおいて光ディスクに対する記録／再生動作を行い、光ディスクの駆動を停止する際には、あらかじめ光ディスクの回転数を前記回転数Ｒから回転数Ｒｍに変化させ、この状態でギャップ調整機構によって光ディスクとスタビライザーの離間距離を前記所望値Ｇ２から前記離間距離Ｇ１に増大させ、ついで回転数Ｒｍから減速して光ディスクの回転を停止することを特徴とする光ディスク駆動方法である。
【００１９】
本発明者は、スタビライザーを備えていない従来構造の光ディスク駆動装置により、可撓性を有する光ディスクを駆動させた場合、ディスク回転数を変えていくと、光ディスクの面ぶれが最小となる回転数Ｒｍｉｎが存在する、ことを見出した。
すなわち、請求項３，４に係る発明において、上記「光ディスクの面ぶれが最小となる回転数Ｒｍｉｎ」とは、スタビライザーを備えていない従来構造の光ディスク駆動装置において光ディスクを回転させた場合のものである。
本発明では、スタビライザーとディスクの距離が充分離れた状態（多少の面ブレが生じてもスタビライザー・ディスク間に摺動が生じない離間距離）でディスクを起動し、面ぶれが（ほぼ）最小となる回転数に達した後にディスクをスタビライザーに接近させることにより空気安定化を図ったものである。同様に、ディスクを停止する際にはディスクの回転数を、上記した面ぶれ最小の回転数に低下させ、その後、ディスクをスタビライザーから遠ざけてディスクの回転を停止させる。
【発明の効果】
【００２０】
固定配備されたスタビライザーに光ディスクを対面させ、この状態で光ディスクを回転させ、可撓性光ディスクに対する記録／再生動作を行う光ディスクの駆動装置・方法において、ディスクの回転を開始する際及び、ディスクの回転を停止する際に、スタビライザーとディスクの距離が充分離れた状態にするので、これらディスク回転開始時及び、ディスク回転停止時のディスク面ぶれに起因する、スタビライザーに対するディスク摺動を回避することができる。
【発明を実施するための最良の形態】
【００２１】
[第１の実施形態]
本発明の実施形態を、図面を参照して説明する。
図１は、スタビライザーを備えていない従来の光ディスク駆動装置により可撓性光ディスクを回転させた場合（自由回転）の、ディスク回転数に対する面ぶれの変化を示すグラフである。パラメータはディスクの材料（及びディスク厚さ）であり、ＰＣはポリカーボネート、ＰＥＴはポリエチレンテレフタレート、ＰＩはポリイミドである。また、横軸はディスク回転数、縦軸はディスクの面ぶれ、つまりディスクの厚さ方向の面ぶれを示す。さらに図１のデータは、ディスクの中心がスピンドル軸にチャックされ、周囲に何もない空間中で回転している場合（自由回転）のものである。したがって、ディスクにはスピンドル軸からの回転トルクおよび空気抵抗以外の特別な外力は作用していない。異なる実験条件はディスクの材質及び厚さである。
【００２２】
図１においてディスクの面ぶれは、ディスク回転数と共に単調に増加しているのではなく、面ぶれには最小値をとる回転数が存在する。これは、ディスクの持つ固有振動数と回転数との共振に由来する。回転数がディスクの共振周波数に近づくにつれて注目次数成分の振動が次第に大きくなり、共振点と一致すると上記振動は最大になり、回転数が共振点を過ぎる（共振点より高速）と上記振動は次第に減少する。
すなわち、自由回転する（スタビライザーが離れている）フレキシブルディスクは、ある回転数で面ぶれが最小値となる。本発明では、この状態でディスクをスタビライザーに接近させていくことで、スタビライザーに基づく空気による面ぶれ抑圧作用（ディスク回転の安定化作用）が生じるようにしている。いきなりディスクをスタビライザーに接近させたまま（空気が作用する０．５ｍｍ以下の狭いギャップ）でディスクを回転させると、ディスク固有の反りにより、空気力の小さな回転開始時に、つまり低速回転数時にディスクがスタビライザーに対し摺動してしまう。上記共振点を過ぎてから、回転中のディスクをスタビライザーに接近させると、ディスクの反り由来の面ぶれが小さくなっていることと、既に回転を開始させて空気によるディスク回転の安定化作用を生じさせながらディスクをスタビライザーに接近させることとによって、上記摺動が発生することはなくなる。これは、ディスクがスタビライザーに近づくほど、空気による上記安定化作用が増大するからである。
本発明は、このような性質を利用したものである。共振点を外れた回転域で回るディスクは面ぶれが小さいため、光ディスクをスタビライザーに相対的に接近させていくときの空気安定化の力が弱い領域において、ディスクがスタビライザーに摺動しにくくなる。ディスクの面ぶれは共振に起因する現象であるが、面ぶれが極小となる回転数は、ディスクの厚さや硬さなどによって異なる。
【００２３】
図２は、本発明に係る光ディスク駆動装置の要部構造を示す概略断面図である。図３は図２の光ディスク駆動装置の全体構造を示す断面図であり、同時に光学的情報記録／再生装置の概略構成をも示している。図３は光ディスク２０（フレキシブルディスク）が定常回転にある時、つまり記録／再生操作時の様子を示しており、ディスク２０は図２の場合よりも、スタビライザー３０に接近している。このスタビライザー３０は、可撓性光ディスク２０との対向面が平坦面となっている。
【００２４】
この駆動装置の基本的構造は従来のもの（例えば、特開２００３−１１５１０８号公報の図１）と同様であるが、ディスク２０の上下位置を微調整することが可能なギャップ調整機構すなわち、ディスク・スタビライザー間の離間距離を微調整するための機構（図略）を備えている点に特徴がある。
【００２５】
図４は、上記光ディスク駆動装置で駆動される光ディスク２０を示すもので、（ａ）は平面図、（ｂ）は断面図である。これらの図において符号２１は中心孔、Ａは記録再生側、Ｂはスタビライザー側（空気安定化板側）を示している。符号４２はセンターハブである。
【００２６】
ここで、図３に示す構造について具体的に説明する。符号１は光学的情報記録／再生装置である。４０ａは光ディスク２０のセンターハブ４２を保持するスピンドル軸、４０はスピンドル軸４０ａを回転駆動するスピンドルモータである。４４は光ディスク２０のセンターハブ４２をスピンドル軸４０ａに固定するためのマグネットチャックである。５０は光ピックアップであり、これは、光ディスク２０に対して情報の書き込みを行う記録手段及び、書き込まれた情報の読み取りを行う再生手段である。なお、光ピックアップ５０を光ディスク２０の半径方向へ移動させるピックアップ用位置決め機構は、図示を省略してある。符号１０は上記各構成部材を収納する装置本体である。
【００２７】
つぎに、図３に示す光学的情報記録／再生装置の動作について説明する。図２はディスク起動時（回転開始時）の状態を示しているが、このとき、ディスク２０とスタビライザー３０の間には、充分大きなギャップ（離間距離）Ｇ１が設定されている。この状態でディスクの回転を開始する。そして、ディスクの面ぶれがほぼ最小限に抑えられる回転数Ｒｍに達したら、ディスク２０をギャップ調整機構によってスタビライザー３０に接近させて、図３の状態（ディスク２０とスタビライザー３０の離間距離は所望値Ｇ２）とする。この後、所望の回転数Ｒに変化させてから（または回転数Ｒｍのままで）、光ディスクに対する記録／再生動作を行う。
【００２８】
（１）上記ギャップＧ１は２〜１０ｍｍの範囲が好ましく、（２）上記ギャップＧ２は０．０３〜０．５ｍｍの範囲がそれぞれ好ましい。
上記（１）の理由は、Ｇ１をディスクの反りよりも大きい上記範囲にすることによって、回転開始時にディスクがスタビライザーに摺動しなくなるためである。また、空気によるディスク回転安定化力がディスクに作用しないか、または作用してもそれが小さいからである。さらに、過渡的で不安定なディスク回転状態で空気の力がディスクに及ぶと、瞬間的にディスクが不安定な挙動を示し、ディスク面ぶれが一時的に極めて大きくなることがあり、これを避けるためである。
上記Ｇ２は、スタビライザーによるディスク回転安定化力を充分大きくするために、小さく設定する。Ｇ２が０．５ｍｍ以下くらいから空気の力が大きくなり、しかもこの空気力はＧ２の値に反比例して大きくなる。そのため、Ｇ２の値に比例してディスク面ぶれは小さくなるが、Ｇ２値が小さすぎると、ディスクをチャックするディスク内周部の歪などに起因する定常的なディスク形状由来の歪によるディスク上下動によって、ディスクがスタビライザーに対し摺動してしまう。以上のことから、Ｇ２は０．０３ｍｍ以上とすることが好ましい。
【００２９】
ディスクの停止操作は上記と逆の手順で行う、まず、図３の状態においてディスクの回転を減速し、自由回転での面ぶれがほぼ最小となる上記回転数Ｒｍとする。その後、ギャップ調整機構によってディスク２０をスタビライザー３０から離しギャップを拡大して図２の状態とする。ついで、スピンドルモータ４０を停止する。
なお、スタビライザー３０は上下方向及び半径方向の位置を固定して設けられている。固定の態様としては例えば、スタビライザー３０の外周端面を該スタビライザーの中心点に向けて押圧する押圧部材を複数、上記外周端面に沿って配置したものが挙げられる。
【００３０】
[第２の実施形態]
図５は光ディスク駆動装置の要部構造を示す断面図であって、光ディスクをマグネットチャックで固定した状態を示すものである。図６はこの光ディスク駆動装置において、光ディスクが空気安定化して回転している状態を示す断面図である。
【００３１】
本実施形態に係る光ディスク駆動装置は、ディスク２０の上下位置を微調整することが可能なギャップ調整機構すなわち、スピンドル軸位置決め機構として、プランジャ６１からなるものを備えている。具体的には、駆動装置ベース板６０上にプランジャ６１が固定され、このプランジャ６１上にスピンドルモータ４０が設けられている。そして、このプランジャ６１のロッド６１ａが昇降することで、スピンドル軸４０ａに固定されている光ディスク２０が一体的に昇降し、これによりディスク２０・スタビライザー３０間の離間距離が微調整される。ロッド６１ａの昇降ストロークは例えば数百μｍに設定される。その他の構造は、第１の実施形態と同様である。
【００３２】
図５はディスク起動時の状態を示しており、このとき、ディスク２０とスタビライザー３０の間には、大きなギャップＧ１が設定されている。この状態でディスクの回転を開始する。そして、ディスク面ぶれがほぼ最小限に抑えられる回転数Ｒｍに達したら、プランジャ６１のロッド６１ａを上昇させることにより、ディスク２０をスタビライザー３０に接近させて図６の状態とする（安定化ギャップＧ２）。この後、所望の記録／再生の回転数に変化させる。なお、本実施形態においても、スタビライザー３０は上下方向及び半径方向の位置を固定して設けられている。
ディスク２０の停止操作は上記と逆の手順で行う、まず、図６の状態においてディスクの回転数を変化させ、自由回転での面ぶれがほぼ最小となる回転数Ｒｍとする。その後、プランジャ６１のロッド６１ａを下降させることにより、ディスク２０をスタビライザー３０から離しギャップを拡大して図５の状態とする。ついで、スピンドルモータ４０を停止する。
【実施例】
【００３３】
つぎに、本発明の実施例について説明する。ディスクとして直径１２０ｍｍ、厚さ１１０μｍ、材質ポリカーボネートのフィルム上にデジタル信号としてトラックピッチ３５０ｎｍ、ピット深さ５０ｎｍのピットを熱エンボス法で形成した。この上にＡｇＰｄＣｕ合金を３０ｎｍスパッタにて形成し、その後、紫外線硬化樹脂による保護膜を１０μｍ塗布して硬化させた。ディスク中心には０．２ｍｍ厚さのステンレス製のハブを接着した。
【００３４】
上記ディスクの回転数と面ぶれの関係を調べた。光ディスク駆動装置としては、図３に示す装置と同様のものを用いた。スタビライザー３０なしの条件では、図７に示すように、面ぶれはおよそ４０００ｒｐｍ近傍で最小となった。このディスクをスピンドル軸にマグネットチャックで固定した。スピンドルはＤＶＤ同様のテーパー受けのコーン形状であり、スピンドル軸端部とクランパ−にてディスクハブを挟み込んでチャッキングした。スタビライザーはシャシーに固定した。
スピンドルモータはシャシーにギヤを介して取り付け、スタビライザーとディスク間の距離を調節できるようにした。このような構造としては例えば、（ａ）ラックとピニオンの組み合わせによる動力伝達機構や、（ｂ）回転運動を直線運動に変換するスクリューギヤ上にスピンドルモータを取り付け、該モータがシャシーに対して直線状に動くことで、スタビライザーとスピンドルチャック面の間の距離を調節するようにしたものが挙げられる。
スピンドルモータは回転数が４０００〜１５０００ｒｐｍ程度で回転数が安定する仕様のものである。
【００３５】
まず、ディスクとスタビライザー間の距離を１．５ｍｍとして、ディスクの回転を開始した。回転数が５０００ｒｐｍに達した後、この距離を０．２ｍｍまで接近させた。この後、回転数を１５０００ｒｐｍに増速した。そして、光ピックアップをスタビライザーの反対側に接近させて、ディスク上のピット信号を再生した。この場合、再生光はディスクのフィルム基盤を通して信号を再生した。ディスクのピット形成面上には硬い紫外線硬化樹脂膜が形成してあるので、万一ディスクとスタビライザーが摺動しても信号にエラーが発生することはない。信号再生が終了した後、ディスクの回転数を５０００ｒｐｍに減速した。その後、ディスクとスタビライザーの距離を１．５ｍｍに増大させ、この状態でディスクの回転を停止させた。
【００３６】
図７に示したように、上記ディスクでは回転数が１００００ｒｐｍを越えると面ぶれが２ｍｍ近くになるが、５０００ｒｐｍでは面ぶれが約０．５ｍｍ程度で、１００００ｒｐｍの場合の約１／３になるので、ディスクとスタビライザー間の距離を、これらの間に摺動が生じることなく増減させることができた。
【００３７】
可撓性を有する光ディスクを用いるディスク駆動装置において空気安定化動作を行うためには、ディスクとスタビライザーを接近させる必要があるが、本発明では以上のように、ディスクの面ぶれがほぼ最小となっているときに、ディスクとスタビライザー間の距離を減少させるようにしたので、ディスクとスタビライザー間の摺動を避けて確実に、スタビライザーを用いるディスク空気安定化を行うことが可能となった。
【図面の簡単な説明】
【００３８】
【図１】スタビライザーを備えていない従来の光ディスク駆動装置により可撓性光ディスクを回転させた場合（自由回転）の、ディスク回転数に対する（スピンドル軸方向の）面ぶれの変化を示すグラフである。
【図２】本発明の第１の実施形態に係る、光ディスク駆動装置の要部構造を示す概略断面図である。
【図３】図２の光ディスク駆動装置の全体構造を示す断面図であって、ディスクが定常回転にある時の様子を示しており、ディスクは図２の場合よりも、スタビライザーに接近している。
【図４】本発明の光ディスク駆動装置で駆動される光ディスクを示すもので、（ａ）は平面図、（ｂ）は断面図である。
【図５】本発明の第２の実施形態に係る、光ディスク駆動装置の要部構造を示す断面図であって、光ディスクをマグネットチャックで固定した状態を示すものである。
【図６】図５の光ディスク駆動装置において、光ディスクが空気安定化して回転している状態を示す断面図である。
【図７】本発明の実施例の結果を示すグラフである。
【符号の説明】
【００３９】
１：光学的情報記録／再生装置
１０：装置本体
２０：光ディスク（フレキシブルディスク）
２１：中心孔
３０：スタビライザー
４０：スピンドルモータ
４０ａ：スピンドル軸
４２：センターハブ
４４：マグネットチャック
５０：光ピックアップ
６０：駆動装置ベース板
６１：プランジャ
６１ａ：ロッド
【図１】
2007287189.tif 000003
【図２】
2007287189.tif 000004
【図３】
2007287189.tif 000005
【図４】
2007287189.tif 000006
【図５】
2007287189.tif 000007
【図６】
2007287189.tif 000008
【図７】
2007287189.tif 000009